(57)【特許請求の範囲】
【請求項１】
膝関節部を被覆するサポーター本体部と、関節の内旋方向とは反対方向に引っ張りつつ螺旋状に当該サポーター本体部外面に巻回止着されるストラップとを備え、かつ当該サポーター本体部の内面又は当該ストラップの内面に、ストラップの引っ張り方向に沿って膝下の脛骨部と内側から外側方向に向って係止する突出部が、装着時膝下の脛骨部内側と当接する部位に位置せしめて付設されていると共に、前記ストラップが、その一端部で前記突出部を押圧しつつ、順次下腿内側部〜膝裏部を通ってその他端部が大腿部で止着されるものであることを特徴とする膝用サポーター。
【請求項２】
膝関節部を被覆するサポーター本体部と、関節の内旋方向とは反対方向に引っ張りつつ螺旋状に当該サポーター本体部外面に巻回止着されるストラップとを備え、かつ当該サポーター本体部の内面又は当該ストラップの内面に、ストラップの引っ張り方向に沿って膝下の腓腹筋と外側から内側方向に向って係止する突出部が、装着時膝下の半膜様筋の遠位付着部近辺と当接する部位に位置せしめて付設されていると共に、前記ストラップが、その一端部で前記突出部を押圧しつつ、順次下腿裏内側部〜膝前部を通ってその他端部が大腿部で止着されるものであることを特徴とする膝用サポーター。
【請求項３】
膝関節部を被覆するサポーター本体部と、関節の外旋方向とは反対方向に引っ張りつつ螺旋状に当該サポーター本体部外面に巻回止着されるストラップとを備え、かつ当該サポーター本体部の内面又は当該ストラップの内面に、ストラップの引っ張り方向に沿って膝下の脛骨部と外側から内側方向に向って係止する突出部が、装着時膝下の脛骨部外側と当接する部位に位置せしめて付設されていると共に、前記ストラップが、その一端部で前記突出部を押圧しつつ、順次下腿外側部〜膝裏部を通ってその他端部が大腿部で止着されるものであることを特徴とする膝用サポーター。
【請求項４】
膝関節部を被覆するサポーター本体部と、関節の外旋方向とは反対方向に引っ張りつつ螺旋状に当該サポーター本体部外面に巻回止着されるストラップとを備え、かつ当該サポーター本体部の内面又は当該ストラップの内面に、ストラップの引っ張り方向に沿って膝下の腓腹筋と内側から外側方向に向って係止する突出部が、装着時膝下の大腿二頭筋の遠位付着部近辺と当接する部位に位置せしめて付設されていると共に、前記ストラップが、その一端部で前記突出部を押圧しつつ、順次下腿裏外側部〜膝前部を通ってその他端部が大腿部で止着されるものであることを特徴とする膝用サポーター。
【発明の詳細な説明】
【技術分野】
【０００１】
本発明は、膝関節の内旋や外旋を抑止・矯正することができる膝用サポーターに関する。
【背景技術】
【０００２】
従来より、膝用サポーターとしては種々の形態のものが報告されているが、その何れもが伸縮率の異なる部材を適宜組み合せたり、パッド部を設けることにより、適度な保持固定力を得ると共に、関節の動きをスムーズなものとする、と云うものであった（例えば、特許文献１参照）。
そのため、従来の膝用サポーターによっては膝関節の内旋や外旋を抑止したり、矯正することができないのが実状であった。
【先行技術文献】
【特許文献】
【０００３】
【特許文献１】特開２００３−８８５４４号公報
【発明の概要】
【発明が解決しようとする課題】
【０００４】
本発明は、上記の如き従来の実状に鑑みてなされたものであり、膝関節の内旋や外旋を抑止・矯正することができる膝用サポーターを提供することを課題としている。
【課題を解決するための手段】
【０００５】
本発明者は、上記の課題を解決すべく、種々検討を重ねた結果、装着した膝用サポーターの上から単にストラップをしても、サポーターそのものがストラップの引っ張り方向にズレてしまい、膝関節の内旋や外旋を抑止することはできないが、膝関節下側の骨や筋肉と係止する突出部を有するサポーター本体と、関節の内旋や外旋方向とは反対方向に引っ張りつつ螺旋状に巻回固定されるストラップとを併用すれば、サポーターそのもののズレ動きが阻止されるので、当該内旋や外旋をより確実に抑止できることを見い出し、本発明を完成した。【０００６】
すなわち、本発明は、膝関節部を被覆するサポーター本体部と、関節の内旋方向とは反対方向に引っ張りつつ螺旋状に当該サポーター本体部外面に巻回止着されるストラップとを備え、かつ当該サポーター本体部の内面又は当該ストラップの内面に、装着時膝下の脛骨部内側と当接する突出部が付設されていることを特徴とする膝用サポーターにより上記課題を解決したものである。【０００７】
また、本発明は、膝関節部を被覆するサポーター本体部と、関節の内旋方向とは反対方向に引っ張りつつ螺旋状に当該サポーター本体部外面に巻回止着されるストラップとを備え、かつ当該サポーター本体部の内面又は当該ストラップの内面に、装着時膝下の半膜様筋の遠位付着部近辺と当接する突出部が付設されていることを特徴とする膝用サポーターにより上記課題を解決したものである。【０００８】
また、本発明は、膝関節部を被覆するサポーター本体部と、関節の外旋方向とは反対方向に引っ張りつつ螺旋状に当該サポーター本体部外面に巻回止着されるストラップとを備え、かつ当該サポーター本体部の内面又は当該ストラップの内面に、装着時膝下の脛骨部外側と当接する突出部が付設されていることを特徴とする膝用サポーターにより上記課題を解決したものである。【０００９】
また、本発明は、膝関節部を被覆するサポーター本体部と、関節の外旋方向とは反対方向に引っ張りつつ螺旋状に当該サポーター本体部外面に巻回止着されるストラップとを備え、かつ当該サポーター本体部の内面又は当該ストラップの内面に、装着時膝下の大腿二頭筋の遠位付着部近辺と当接する突出部が付設されていることを特徴とする膝用サポーターにより上記課題を解決したものである。
【発明の効果】
【００１０】
本発明によれば、ストラップが内旋や外旋方向とは反対方向に引っ張りつつ巻回固定されても、装着時サポーター本体部又はストラップ部に付設された突出部が、その当接部位においてストラップの引っ張り方向に沿って脛骨部、半膜様筋遠位付着部又は大腿二頭筋遠位付着部と係止してサポーター本体部のストッパーとして機能するため、サポーター本体部が当該ストラップの引っ張り方向にズレ動くことがないので、当該内旋や外旋がより確実に抑止される。その結果、本発明の膝用サポーターを装着すれば、膝関節の内旋や外旋を効果的に矯正あるいは軽減することができる。
【図面の簡単な説明】
【００１１】
【図１】本発明膝用サポーターの第１の実施の形態を示す概略横断面説明図。
【図２】本発明膝用サポーターの第２の実施の形態を示す概略横断面説明図。
【図３】本発明膝用サポーターの第３の実施の形態を示す概略横断面説明図。
【図４】本発明膝用サポーターの第４の実施の形態を示す概略横断面説明図。
【図５】本発明膝用サポーターの第５の実施の形態を示す概略横断面説明図。
【図６】本発明膝用サポーターの第６の実施の形態を示す概略横断面説明図。
【図７】本発明膝用サポーターの第７の実施の形態を示す概略横断面説明図。
【図８】本発明膝用サポーターの第８の実施の形態を示す概略横断面説明図。
【図９】本発明膝用サポーターの突出部の当接部位を示す脚の概略説明図。
【図１０】本発明膝用サポーターのストラップの巻回経路を示す脚の概略説明図。
【発明を実施するための形態】
【００１２】
以下本発明の実施の形態を図面と共に説明する。
【００１３】
図１は、本発明の第１の実施の形態を示す右脚内旋抑止・矯正用サポーターの概略横断面説明図である。
該図１において、１０はサポーター本体部で、その形態は膝関節部を被覆し得るものであれば、クローズタイプ、オープンタイプ、セミクローズタイプの如何を問わず、またその材質も種類の如何を問わない。
【００１４】
このサポーター本体１０の内面には、装着時、後述のストラップ３０の引っ張り方向に沿って膝下の脛骨部と内側から外側方向に向って係止する突出部２０が、膝下の脛骨部の内側と当接する部位に位置せしめて付設されるが、特に図９（１）に示すように、脛骨粗面の中心より０．５〜３ｃｍ内側に位置せしめて付設するのが、脛骨部との効果的な係止作用を得る上で望ましい。
この突出部２０の形態も方形、円形、半円形等その如何を問わないが、脛骨部との係止作用の点で方形が望ましく、またその大きさとしては、１．７５ｃｍ×４．５ｃｍで、厚さ０．８ｃｍ程度が好適である。また、その材質も特に限定されないが、硬質のものより軟質あるいは弾性を有するものが、膝下に不快な痛みを与えない点で有利である。
【００１５】
３０はストラップで、図中矢印で示されるように、膝関節の内旋方向とは反対方向に引っ張りつつ螺旋状にサポーター本体部１０外面に巻回止着されるものである。
このストラップ３０のより具体的な巻回経路としては、図１０（１）に示すように、＜１＞下腿部：膝下内側→膝下前面→膝下外側→＜２＞膝裏部：膝裏を斜めに上がって、→＜３＞大腿部：膝上内側→大腿前面とするのが好ましい。その場合、ストラップの一端部で突出部２０を押圧しつつ、螺旋状に巻回し、他端部を大腿前面において面ファスナー等により止着する。
このストラップ３０は、サポーター本体部１０と別体であっても良いが、一端を予めサポーター本体部１０に縫合等により固着せしめて一体としたものでも良い。
このストラップの大きさは特に限定されないが、長さ３０〜６０ｃｍ、巾２〜６ｃｍ、厚さ２〜５ｍｍ程度が好ましく、また、その材質も種類の如何を問わない。
【００１６】
図２は、本発明の第２の実施の形態を示す右脚内旋抑止・矯正用サポーターの概略横断面説明図である。
この第２の実施の形態は、突出部２０が、サポーター本体部１０ではなく、ストラップ３０の内面に付設されている以外は、図１に示される第１の実施の形態と同一構成となっている。
因に、この第２の実施の形態においては、装着時突出部２０はサポーター本体部１０を介して脛骨部の内側と当接する。
【００１７】
図３は、本発明の第３の実施の形態を示す右脚内旋抑止・矯正用サポーターの概略横断面説明図である。
該図３において、サポーター本体部１０の内面には、装着時、ストラップ３０の引っ張り方向に沿って膝下の腓腹筋と外側から内側方向に向って係止する突出部２０が、膝下の腓腹筋部と当接する部位に位置せしめて付設されるが、特に図９（２）に示すように、半膜様筋の遠位付着部近辺に位置せしめて付設するのが、当該半膜様筋遠位付着部との効果的な係止作用を得る上で望ましい。
この実施の形態において、ストラップ３０は、図１に示される第１の実施の形態と同様に、膝関節の内旋方向とは反対方向（図中矢印）に引っ張りつつ螺旋状にサポーター本体部１０外面に巻回止着されるが、より具体的な巻回経路としては、図１０（２）に示すように、＜１＞下腿部：下腿裏内側→下腿前内側→＜２＞膝前部：膝前面→膝前面を斜めに上がって、→＜３＞大腿部：大腿外側とするのが好ましい。
尚、他の構成は図１に示す第１の実施の形態と同一である。
【００１８】
図４は、本発明の第４の実施の形態を示す右脚内旋抑止・矯正用サポーターの概略横断面説明図である。
この第４の実施の形態は、突出部２０が、サポーター本体部１０ではなく、ストラップ３０の内面に付設されている以外は、図３に示される第３の実施の形態と同一構成となっている。
【００１９】
図５は、本発明の第５の実施の形態を示す右脚外旋抑止・矯正用サポーターの概略横断面説明図である。
該図５において、サポーター本体部１０の内面には、装着時、ストラップ３０の引っ張り方向に沿って膝下の脛骨部と外側から内側方向に向って係止する突出部２０が、膝下の脛骨部の外側と当接する部位に位置せしめて付設されるが、特に図９（３）に示すように、脛骨粗面の中心より０．５〜３ｃｍ外側に位置せしめて付設するのが、脛骨部との効果的な係止作用を得る上で望ましい。
この実施の形態において、ストラップ３０は、膝関節の外旋方向とは反対方向（図中矢印）に引っ張りつつ螺旋状にサポーター本体部１０外面に巻回止着されるが、より具体的な巻回経路としては、図１０（３）に示すように、＜１＞下腿部：膝下外側→膝下前面→膝下内側→＜２＞膝裏部：膝裏を斜めに上がって、→＜３＞大腿部：膝上外側→大腿前面とするのが好ましい。
尚、他の構成は図１に示す第１の実施の形態と同一である。
【００２０】
図６は、本発明の第６の実施の形態を示す右脚外旋抑止・矯正用サポーターの概略横断面説明図である。
この第６の実施の形態は、突出部２０が、サポーター本体部１０ではなく、ストラップ３０の内面に付されている以外は、図５に示される第５の実施の形態と同一構成となっている。
【００２１】
図７は、本発明の第７の実施の形態を示す右脚外旋抑止・矯正用サポーターの概略断面説明図である。
該図７において、サポーター本体部１０の内面には、装着時、ストラップ３０の引っ張り方向に沿って膝下の腓腹筋と内側から外側方向（図中矢印）に向って係止する突出部２０が、膝下の腓腹筋部と当接する部位に位置せしめて付設されるが、特に図９（４）に示すように、大腿二頭筋の遠位付着部近辺に位置せしめて付設するのが、当該大腿二頭筋遠位付着部との効果的な係止作用を得る上で望ましい。
この実施の形態において、ストラップ３０は、図５に示される第５の実施の形態と同様に、膝関節の外旋方向とは反対方向に引っ張りつつ螺旋状にサポーター本体部１０外面に巻回止着されるが、より具体的な巻回経路としては、図１０（７）に示すように、＜１＞下腿部：下腿裏外側→下腿前外側→＜２＞膝前部：膝前面→膝前面を斜めに上がって、→＜３＞大腿部：大腿内側とするのが好ましい。
尚、他の構成は図１に示す第１の実施の形態と同一である。
【００２２】
図８は、本発明の第８の実施の形態を示す右脚外旋抑止・矯正用サポーターの概略横断面説明図である。
この第８の実施の形態は、突出部２０が、サポーター本体部１０ではなく、ストラップ３０の内面に付されている以外は、図７に示される第７の実施の形態と同一構成となっている。
【符号の説明】
【００２３】
１０：サポーター本体部
２０：突出部
３０：ストラップ
Ｐ：突出部当接部位
【図１】
0006002889.tif 000002
【図２】
0006002889.tif 000003
【図３】
0006002889.tif 000004
【図４】
0006002889.tif 000005
【図５】
0006002889.tif 000006
【図６】
0006002889.tif 000007
【図７】
0006002889.tif 000008
【図８】
0006002889.tif 000009
【図９】
0006002889.tif 000010
【図１０】
0006002889.tif 000011